(57)【要約】【課題】容易に配管のメンテナンスを行うことの可能な配管メンテナンス方法を提供する。【解決手段】サイフォン排水システム１０において、サイフォン排水管２２のメンテナンスを行う際には、当該サイフォン排水管２２Ａ〜２２Ｂ、スペア配管６２の接続を相互交換し配管のローテーションを行う。例えば、サイフォン排水管２２Ａを接続部５１Ｂへ接続し、サイフォン排水管２２Ｂを接続部５１Ｃへ接続し、スペア配管６２を接続部５１Ａへ接続し、サイフォン排水管２２Ｃを不使用管とする。【選択図】図３
2008280781.tif 000002
【特許請求の範囲】
【請求項１】
無勾配で配設された無勾配部を有し前記無勾配部内の排水に下流側へ向かう力を作用させて排水を促進する複数の無勾配排水管、を備えた無勾配排水システムに適用される配管メンテナンス方法であって、
前記複数の無勾配排水管の少なくとも前記無勾配部を相互交換すること、を特徴とする配管メンテナンス方法。
【請求項２】
少なくとも前記無勾配部に対応する管部分を有し排水経路と非接続で前記無勾配排水管に沿って配置されたスペア排水管を含んで、前記相互交換を行うこと、を特徴とする請求項１に記載の配管メンテナンス方法。
【請求項３】
前記相互交換により前記排水路と非接続となった無勾配排水管の開口を、閉塞蓋で閉塞すること、を特徴とする請求項２に記載の配管メンテナンス方法。
【請求項４】
前記無勾配排水管がサイフォン排水管であり、サイフォン力を作用させて前記無勾配部の排水を促進すること、を特徴とする請求項１〜請求項３のいずれか１項に記載の配管メンテナンス方法。
【請求項５】
前記相互交換は、前記無勾配排水管のうち、主に溜め流し排水の行われる水廻り器具に対応した主溜流し用無勾配排水管と、前記主溜流し用無勾配排水管よりもサイフォン力が作用して排水の行われる頻度の低い主連続排水用無勾配排水管との交換で行われること、を特徴とする請求項４に記載の配管メンテナンス方法。
【請求項６】
複数の水回り器具からの排水を一時貯留する貯留槽を備え、前記サイフォン排水管は、前記貯留槽の下流側に配置されていること、を特徴とする請求項４または請求項５に記載の配管メンテナンス方法。
【請求項７】
前記貯留槽内部で前記排水を貯留する貯留空間が仕切部材によって複数の個別貯留部に区画され、前記複数の個別貯留部毎に対応する前記水回り器具からの排水管及び前記サイフォン排水管が接続されていること、を特徴とする請求項６に記載の配管メンテナンス方法。
【発明の詳細な説明】
【技術分野】
【０００１】
本発明は、床スラブに沿って無勾配で配設された無勾配部を有する、サイフォン排水、強制排水（圧送）、真空（バキューム）排水などの、無勾配排水システムに用いられる配管メンテナンス方法に関する。
【背景技術】
【０００２】
近年、従来の勾配排水システムに代わって、サイフォン排水、強制排水（圧送）、真空（バキューム）排水などの、無勾配排水システムが提案されている。この無勾配排水システムは、床スラブに沿って無勾配で配設された無勾配部を有しており、この無勾配部中の排水に下流側へ向かう力を作用させて排水を促進する排水システムである。この中の例えば、サイフォン排水システムは、特許文献１に記載されるように、水廻り器具とサイフォン排水管とで構成されており、サイフォン排水管の垂下部をなす竪管にて発生するサイフォン力（負圧力）を利用して、水廻り器具からの排水効率を向上させるシステムである。
【０００３】
このような、無勾配排水システムでは、無勾配部に比較的小径の排水管が用いられているため、管径のみを考慮すると、排水管が閉塞しやすいという問題がある。一方、無勾配排水システムでは、無勾配部中の排水に下流側へ向かう力を作用させるため、自浄作用により、内壁が清浄化されるというメリットを有している。
【０００４】
このような、無勾配排水システムでは、通常、複数の水回り器具からの排水は、別々のルートで、排水立て管へ接続されている。水回り器具には、浴室、洗面台、台所の流し、等、様々なものがあるが、その種類によって、使用の頻度、排水される水の種類、排水量などが異なり、無勾配排水管の内壁への汚れの付着度合いにバラツキが生じると考えられる。
【０００５】
また、無勾配排水システムの中の、サイフォン排水システムは、特許文献１に記載されるように、サイフォン排水管の垂下部をなす竪管にて発生するサイフォン力（負圧力）を利用して、水廻り器具からの排水効率を向上させるシステムであるが、排水量が少ない場合には、サイフォン力が発生することなく排水が行われる。サイフォン力を発生させずに排水が行われることの多いサイフォン排水管は、サイフォン力を発生させて排水が行われることの多いサイフォン排水管と比較して、自浄作用で清浄化される機会が少ないことになる。したがって、サイフォン力を発生させずに排水が行われることの多いサイフォン排水管と、サイフォン力を発生させて排水が行われることの多いサイフォン排水管との間の汚れのバラツキは、大きくなると考えられる。
【特許文献１】特開平６−４２０１９号公報
【発明の開示】
【発明が解決しようとする課題】
【０００６】
本発明は、上記事実に鑑みてなされたものであり、容易に配管のメンテナンスを行うことの可能な配管メンテナンス方法を提供することを目的とする。
【課題を解決するための手段】
【０００７】
本発明の請求項１に記載の配管メンテナンス方法は、無勾配で配設された無勾配部を有し前記無勾配部内の排水に下流側へ向かう力を作用させて排水を促進する複数の無勾配排水管、を備えた無勾配排水システムに適用される配管メンテナンス方法であって、前記複数の無勾配排水管の少なくとも前記無勾配部を相互交換すること、を特徴とする。
【０００８】
ここでの無勾配とは、必ずしも水平方向である必要はなく、床スラブや天井に沿って多少の段差、勾配のあるものを含む。
【０００９】
本発明によれば、複数の無勾配排水管の少なくとも無勾配部を相互交換するので、複数の無勾配排水管毎の汚れ度合いのバラツキを少なくすることができる。
【００１０】
本発明の請求項２に記載の配管メンテナンス方法は、少なくとも前記無勾配部に対応する管部分を有し排水経路と非接続で前記無勾配排水管に沿って配置されたスペア排水管を含んで、前記相互交換を行うこと、を特徴とする。
【００１１】
このように、スペア排水管を配置した場合にスペア排水管を含めて相互交換することにより、メンテナンス毎に不使用の排水管を取り替えることができる。
【００１２】
本発明の請求項３に記載の配管メンテナンス方法は、前記相互交換により前記排水路と非接続となった無勾配排水管の開口を、閉塞蓋で閉塞すること、を特徴とする。
【００１３】
このように、交換後の無勾配排水管開口を閉鎖することにより、臭気を防ぐことができる。
【００１４】
本発明の請求項４に記載の配管メンテナンス方法は、前記無勾配排水管がサイフォン排水管であり、サイフォン力を作用させて前記無勾配部の排水を促進すること、を特徴とする。
【００１５】
本発明は、特に、サイフォン排水システムに好適に用いることができる。
【００１６】
本発明の請求項５に記載の配管メンテナンス方法の前記相互交換は、前記無勾配排水管のうち、主に溜め流し排水の行われる水廻り器具に対応した主溜流し用無勾配排水管と、前記主溜流し用無勾配排水管よりもサイフォン力が作用して排水の行われる頻度の低い主連続排水用無勾配排水管との交換で行われること、を特徴とする。
【００１７】
ここで、主に溜め流し排水の行われる水廻り器具とは、浴槽室排水、洗濯機排水などであり、これらの水廻り器具に対応した主溜流し用無勾配排水管は、サイフォン力が作用して排水の行われる頻度が高い。一方、主溜流し用無勾配排水管よりもサイフォン力が作用して排水の行われる頻度の低い主連続排水用無勾配排水管は、洗面台や流し台などの水廻り器具と接続された無勾配排水管であり、溜め流しが行われる頻度が低い。
【００１８】
前述のように、サイフォン力が作用して排水が行われることにより、自浄作用による管の内壁の洗浄が行われるので、サイフォン力が作用して排水が行われる頻度の高い主溜流し用無勾配排水管と、低い主連続排水用無勾配排水管との間で相互交換することにより、排水管の清浄化を平均して行うことができる。
【００１９】
本発明の請求項６に記載の配管メンテナンス方法は、複数の水回り器具からの排水を一時貯留する貯留槽を備え、前記サイフォン排水管は、前記貯留槽の下流側に配置されていること、を特徴とする。
【００２０】
サイフォン排水システムの中でも、貯留槽が備えられたものについては、各サイフォン排水管が貯留槽に接続されているので、容易に交換作業を行うことができ、本発明を好適に用いることができる。
【００２１】
本発明の請求項７に記載の配管メンテナンス方法は、前記貯留槽内部で前記排水を貯留する貯留空間が仕切部材によって複数の個別貯留部に区画され、前記複数の個別貯留部毎に対応する前記水回り器具からの排水管及び前記サイフォン排水管が接続されていること、を特徴とする。
【００２２】
上記構成によれば、各サイフォン排水管が、異なる水回り器具に対応しているので、サイフォン排水管毎の汚れのバラツキが出やすいため、本発明を好適に用いることができる。
【発明の効果】
【００２３】
本発明は上記のように、複数の無勾配排水管の少なくとも無勾配部を相互交換することにより、容易に配管のメンテナンスを行うことができる。
【発明を実施するための最良の形態】
【００２４】
以下に、本発明に係る実施形態を図面に基づき説明する。
【００２５】
本実施形態では、無勾配排水システムとして、一時貯留方式のサイフォン排水システムを例に説明する。なお、本発明の無勾配排水システム、配管メンテナンス方法は、他の無勾配排水システムにも適用でき、一時貯留方式以外のサイフォン排水システムにも適用可能である。まず、本実施形態に係るサイフォン排水システムの全体構成を説明する。図１には、本実施形態に係るサイフォン排水システムの全体構成が概略図にて示されている。
【００２６】
本実施形態に係るサイフォン排水システム１０は、サイフォン力を利用して水廻り器具からの排水を効率よく排出する排水システムである。
【００２７】
本実施形態のサイフォン排水システム１０は、主に複数階で構成された集合住宅などに用いられる。なお、本実施形態では、サイフォン排水システムを、複数階で構成された集合住宅に用いた例について説明する。なお、サイフォン排水システムは、集合住宅に好適に用いられるが、集合住宅以外の戸建て住宅や工場等にも用いることができる。
【００２８】
図１に示すように、サイフォン排水システム１０は、排水を下方へ流す排水立て管１２を備えている。この排水立て管１２は、集合住宅の上下方向（縦方向）に延設され、集合住宅の各階の床スラブ１４を貫いている。
【００２９】
集合住宅の各階の各戸には、複数の水回り器具１６が設けられており、この水回り器具１６には、水回り器具１６から排出される排水を流す排水導入管１８の一端がそれぞれ接続されている。排水導入管１８の他端は、貯留槽５０と接続されている。排水導入管１８は、貯留槽５０側が低くなるように勾配をもって配設されている。
【００３０】
貯留槽５０は、水廻り器具１６からの排水を一時貯留するためのものである。貯留槽５０の内部には、図２に示すように、貯留空間５２が構成されている。貯留空間５２は、仕切部材５４によって３つの個別貯留部５２Ａ、５２Ｂ、５２Ｃに区画されている。前述した水廻り器具１６からの複数の排水導入管１８Ａ〜１８Ｃは、個別貯留部５２Ａ、５２Ｂ、５２Ｃ、へ各々連結されている。
【００３１】
貯留槽５０の個別貯留部５２Ａ、５２Ｂ、５２Ｃには、接続部５１Ａ、５１Ｂ、５１Ｃが設けられ、各々にサイフォン排水管２２Ａ、２２Ｂ、２２Ｃ（これらをまとめて「サイフォン排水管２２」という）が接続されている。接続部５１Ａ、５１Ｂ、５１Ｃは、同一の接続形状とされ、サイフォン排水管２２Ａ、２２Ｂ、２２Ｃのいずれでも接続可能とされている。
【００３２】
サイフォン排水管２２は、図１に示すように、床スラブ１４に沿って配設される横引き管２４と、この横引き管２４と連通する竪管２６とを備えて構成されている。横引き管２４は、貯留槽５０と連通され、床スラブ１４上で水平方向に無勾配で配設されている。横引き管２４と連通する竪管２６は、排水立て管１２に沿って、上下方向（鉛直方向）に配設されている。この竪管２６は、合流部継手４０を介して排水立て管１２と連結されている。合流部継手４０は、竪管２６からの排水を排水立て管１２へ合流させる。
【００３３】
横引き管２４及び竪管２６は、合流部継手４０までは他の排水管と途中で合流することなく、連続した排水管で構成され、排水立て管１２へ排水を導くようになっている。また、横引き管２４及び竪管２６は、排水が満流で流れるように管の内径が設定されている。横引き管２４内の排水には、サイフォン水頭Ｈｓのエネルギーにより、排水方向へ向かうサイフォン力が作用される。
【００３４】
図１に示すように、貯留槽５０には、さらに、通気管３０が接続されている。通気管３０は、合流部継手４０を介して排水立て管１２と連結されている。
【００３５】
サイフォン排水システム１０には、スペア配管６２が備えられている。スペア配管６２は、横引き管２４に沿って配置される横引きスペア配管６４、及び、竪管２６に沿って配置される竪スペア配管６６を含んで構成されている。スペア配管６２は、上流端が閉鎖蓋６５で閉鎖され、下流端が合流部継手４０に接続されている。閉鎖蓋６５は、スペア配管６２の上流端の外周面を覆うように取り付けられている。このように、閉鎖蓋６５で蓋をしておくことにより、スペア配管６２内に異物が入り込むことを防止することができる。また、閉鎖蓋６５でスペア配管６２の外周端部が覆われているので、外周端部の保護することができ、損傷などを防止することができる。スペア配管６２は、サイフォン排水管２２と同一の管であり、サイフォン排水管２２に代えて貯留槽５０の接続部５１Ａ〜５１Ｃと接続可能とされている。
【００３６】
上記構成のサイフォン排水システム１０において、サイフォン排水管２２のメンテナンスを行う際には、貯留槽５０の上部近傍の床材を取り払い、当該サイフォン排水管２２Ａ〜２２Ｂ、スペア配管６２の接続を相互交換し配管のローテーションを行う。例えば、図３に示すように、サイフォン排水管２２Ａを接続部５１Ｂへ接続し、サイフォン排水管２２Ｂを接続部５１Ｃへ接続し、スペア配管６２を接続部５１Ａへ接続し、サイフォン排水管２２Ｃを不使用管とする。このとき、スペア配管６２を閉鎖していた閉鎖蓋６５をスペア配管６２から取り外し、非接続となったサイフォン排水管２２Ｃの開口を閉鎖蓋６５で閉鎖する。このように、交換後の排水管の開口を閉鎖することにより、臭気を防ぐことができる。
【００３７】
このように、複数のサイフォン排水管２２Ａ、スペア配管６２をメンテナンス時にローテーションさせることにより、各排水管での汚れ度合いを均一化することができる。
【００３８】
このようにして、サイフォン排水管２２の交換が可能であるのは、サイフォン排水管２２が、連続した排水管で構成され、合流部継手４０までは他の排水管と合流されていないためである。在来の勾配排水システムでは、通常、排水立て管に至るまでに、複数の排水管が合流されているため、他の排水管との接続部分についても、付け替え作業が必要となり、本実施形態のように、排水管を容易に交換することは難しい。
【００３９】
また、サイフォン排水管２２の交換が可能である他の理由として、無勾配の配管であることがあげられる。在来の勾配排水システムでは、交換後のスペア配管についても所定の勾配が必要となり、配管が難しくなる。
【００４０】
なお、サイフォン排水管２２の相互交換は、浴槽室排水、洗濯機排水などの溜め流しの多い水回り器具に対応したサイフォン排水管（主溜流し用無勾配排水管）と、洗面台等の溜流しの頻度が低く、単位時間当たりの排水量が少ない水回り器具に対応したサイフォン排水管（主連続排水用無勾配排水管）とを交換することが好ましい。サイフォン排水システムでは、サイフォン力を作用させて排水を行うことにより、管の内壁を清浄化することができるが、単位時間当たりの排水量が少ない水回り器具に対応したサイフォン排水管では、サイフォン効果による排水が行われにくく、管の内壁の清浄が行われにくい。そこで、管の内壁の清浄化を均等に行うため、メンテナンス時に、排水量の多いサイフォン排水管と排水量の少ないサイフォン排水管とを交換することが好ましい。
【００４１】
なお、本実施形態では、スペア配管６２をサイフォン排水管２２に沿って配置した例について説明したが、スペア配管６２は必ずしも必要なものではない。スペア配管６２なしで、サイフォン排水管２２Ａ〜２２Ｃの間で、相互交換を行ってもよい。特に、スペア配管６２を配置することにより、万一、１本のサイフォン排水管２２に不都合が生じて取り替えの必要が生じても、スペア配管６２を代わりに接続させることにより、容易に取り替えを行うことができる。
【００４２】
また、本実施形態では、横引き管２４及び竪管２６の両方を含むサイフォン排水管２２全体を相互交換したが、横引き管２４の部分のみを相互交換するようにしてもよい。この場合には、図４に示すように、横引き管２４の下流側端部に竪管２６との接続部２５を設け、接続部２５の接続、及び、貯留槽５０との接続を付け替える作業を行う。そして、スペア配管についても、横引き管２４に対応する部分のみのスペア配管６１とする。なお、スペア配管６１は、前述のように、必ずしも必要なものではない。
【００４３】
また、本実施形態では、貯留槽５０を備えたサイフォン排水システムについて説明したが、本発明は貯留槽５０を備えず、サイフォン排水管２２が水回り器具１６の排水管に直接接続されるサイフォン排水システムに適用することもできる。
【図面の簡単な説明】
【００４４】
【図１】本実施形態に係るサイフォン排水システムの全体構成を示す概略図である。
【図２】本実施形態に係る貯留槽の内部、及びサイフォン排水管との接続部を示す斜視図である。
【図３】本実施形態に係るサイフォン排水管のローテーションの一例を示す図である。
【図４】本実施形態に係るスペア配管の変形例を示す図である。
【符号の説明】
【００４５】
１０  サイフォン排水システム
１４  床スラブ
２２  サイフォン排水管
２４  横引き管
２６  竪管
５０  貯留槽
５１  接続部
５２  貯留空間
５２Ａ  個別貯留部
５２Ｂ  個別貯留部
５２Ｃ  個別貯留部
６１  スペア配管
６２  スペア配管
６４  横引きスペア配管
６５  閉鎖蓋
６６  竪スペア配管
【図１】
2008280781.tif 000003
【図２】
2008280781.tif 000004
【図３】
2008280781.tif 000005
【図４】
2008280781.tif 000006